(57)【要約】      （修正有）【課題】受信と送信とが同時に行われるフルデュプレックス方式の通信装置において、送受信周波数の変換がより効率的に行われるようにすることで、基地局と端末機とで共用使用を可能とする送受信周波数信号変換方法及び装置を提供する。【解決手段】ＲＦフロントエンドモジュール装置１００は、アンテナの送受信周波数信号から送信信号及び受信信号を分離するデュプレクサ１１０と、複数の入力及び出力を有し、選択された動作モードに応じて、それぞれの入力及び出力を交差または順方向に接続し、送信信号及び受信信号に対応する経路を適応的に形成する経路切替スイッチ１２０と、動作モードを選択し、動作モードに対応して入力及び出力間の接続制御のための制御信号を経路切替スイッチに伝送する制御部１３０と、送信信号経路上に位置する電力増幅器１４０と、受信信号経路上に位置する低雑音増幅器１５０と、を備える。【選択図】図１
2020141393.tif 000002
【特許請求の範囲】
【請求項１】
アンテナの送受信周波数信号から送信信号及び受信信号を分離するデュプレクサと、
複数の入力及び出力を有し、選択された動作モードに応じて、それぞれの入力及び出力を交差または順方向に接続し、前記送信信号及び前記受信信号に対応する経路を適応的に形成する経路切替スイッチと、
前記動作モードを選択し、前記動作モードに対応して前記入力及び前記出力間の接続制御のための制御信号を前記経路切替スイッチに伝送する制御部と、
前記送信信号経路上に位置する電力増幅器と、
前記受信信号経路上に位置する低雑音増幅器と
を含むことを特徴とするＲＦフロントエンドモジュール装置。
【請求項２】
前記デュプレクサは、
周波数分割多重化方式（ＦＤＤ）によって、前記送信信号及び前記受信信号を分離することを特徴とする請求項１に記載のＲＦフロントエンドモジュール装置。
【請求項３】
前記経路切替スイッチは、２つの入力端と２つの出力端とを有し、
前記電力増幅器と接続される第１入力端と、前記デュプレクサのダウンリンク帯域フィルタと接続される第１出力端とを相互接続する第１スイッチと、
前記第１入力端と、前記デュプレクサのアップリンク帯域フィルタと接続される第２出力端とを相互接続する第２スイッチと、
前記低雑音増幅器と接続される第２入力端と、前記第１出力端とを相互接続する第３スイッチと、
前記第２入力端と前記第２出力端とを相互接続する第４スイッチと
を含むことを特徴とする請求項１に記載のＲＦフロントエンドモジュール装置。
【請求項４】
前記制御部は、
ユーザ選択情報及び前記送受信周波数信号に基づいて、端末機とのセルラー通信をサポートする基地局モード、基地局とのセルラー通信をサポートする端末機モード、端末間の直接通信で基地局と端末機との間の中継機能をサポートする中継端末機モード、及び前記中継端末機から前記中継機能をサポートされる中継対象端末機モードのうち、いずれか一つのモードを前記動作モードとして選択することを特徴とする請求項１に記載のＲＦフロントエンドモジュール装置。
【請求項５】
前記経路切替スイッチは、
前記制御部によって、前記動作モードが前記基地局モードに選択された場合、前記制御信号に応じて前記それぞれの入力及び出力を順方向に接続し、前記電力増幅器から前記デュプレクサのダウンリンク帯域フィルタに繋がる前記送信信号経路及び前記デュプレクサのアップリンク帯域フィルタから前記低雑音増幅器に繋がる前記受信信号経路を形成することを特徴とする請求項４に記載のＲＦフロントエンドモジュール装置。
【請求項６】
前記経路切替スイッチは、
前記制御部によって、前記動作モードが前記端末機モードに選択された場合、前記制御信号に応じて前記それぞれの入力及び出力を交差接続し、前記電力増幅器から前記デュプレクサのアップリンク帯域フィルタに繋がる前記送信信号経路及び前記デュプレクサのダウンリンク帯域フィルタから前記低雑音増幅器に繋がる前記受信信号経路を形成することを特徴とする請求項４に記載のＲＦフロントエンドモジュール装置。
【請求項７】
前記経路切替スイッチは、
前記制御部によって、前記動作モードが中継端末機モードに選択された場合、前記制御信号に応じて前記それぞれの入力及び出力を順方向に接続し、前記電力増幅器から前記デュプレクサのダウンリンク帯域フィルタに繋がる前記送信信号経路及び前記デュプレクサのアップリンク帯域フィルタから前記低雑音増幅器に繋がる前記受信信号経路を形成することを特徴とする請求項４に記載のＲＦフロントエンドモジュール装置。
【請求項８】
前記経路切替スイッチは、
前記制御部によって、前記動作モードが前記中継対象端末機モードに選択された場合、前記制御信号に応じて前記それぞれの入力及び出力を交差接続し、前記電力増幅器から前記デュプレクサのアップリンク帯域フィルタに繋がる前記送信信号経路及び前記デュプレクサのダウンリンク帯域フィルタから前記低雑音増幅器に繋がる前記受信信号経路を形成することを特徴とする請求項４に記載のＲＦフロントエンドモジュール装置。
【請求項９】
ＲＦフロントエンドモジュール装置の送受信周波数信号変換方法において、
アンテナの送受信周波数信号から送信信号及び受信信号を分離する過程と、
前記ＲＦフロントエンドモジュール装置の動作モードを選択し、選択された動作モードに対応して経路切替スイッチの入力及び出力間の接続制御のための制御信号を生成する過程と、
前記制御信号に基づいて、前記経路切替スイッチ内に備えられた複数の入力及び出力のそれぞれを交差または順方向に接続し、前記送信信号及び前記受信信号に対応する経路を適応的に形成する過程と
を含むことを特徴とするＲＦフロントエンドモジュール装置の送受信周波数信号変換方法。
【発明の詳細な説明】
【技術分野】
【０００１】
本発明は、ＦＤＤ（Frequency-Division Duplexing）無線通信方式における送受信周波数変換方法及び装置に関する。より詳細には、ＦＤＤ無線通信方式を使用する無線移動通信において基地局と端末機とで共用使用が可能なＲＦフロントエンドモジュール装置に関する。
【背景技術】
【０００２】
以下に記述する内容は、単に本発明に関連する背景情報のみを提供するだけで、従来の技術を構成するものではない。
【０００３】
近来の無線移動通信は、周波数リソースを効率的に使用するために、受信帯域と送信帯域の周波数とを分け、受信と同時に送信ができるようにする方式を多く使用している。それを可能とするには、受信部は、送信部の高い出力パワーが流入されないように送信部周波数帯域の信号を抑制しつつ外部から伝達してくる信号を受けられるようにしなければならない。逆に、送信部は、外部へ信号をよく伝達しつつ受信部への信号漏洩が発生しないようにしなければならない。このような機能のフィルタをデュプレクサといい、受信と送信とを同時に可能とする（ｆｕｌｌ  ｄｕｐｌｅｘｉｎｇ）装置である。上記の内容で述べたように、基地局の送信及び受信周波数は、端末機の送信及び受信周波数と相互反対になり、受信周波数と送信周波数とは、ある固定帯域を使用するため、相互混用ができない。
【０００４】
最近は、ＬＴＥ（Long Term Evolution）  Ｍ２Ｍ（Ｍａｃｈｉｎｅ  ｔｏ  Ｍａｃｈｉｎｅ）などのＩｏＴ（Ｉｎｔｅｒｎｅｔ  ｏｆ  Ｔｈｉｎｇｓ）無線応用が拡大されることにより、ユーザが普通の人間からモノに拡大しつつあり、これにより、収容可能な基地局が次第に減っていくことによって、小型基地局（Ｓｍａｌｌ  ｃｅｌｌ）の概念を導入し、多くのユーザに円滑に基地局との接続を可能とした。
【０００５】
小型基地局とは、言葉の通り出力パワーが小さいため、一般的な端末機とＲＦ観点からは違いがなく、同一のハードウェア適用ができるようになった。これから多くのＬＴＥ端末がモノに設置される場合、基地局が全てのモノを接続するのではなく、基地局がよく見えない場合、端末と端末とが相互基地局と端末機の役割を担い、最終的に基地局に通信接続をするＤ２Ｄ（Ｄｅｖｉｃｅ  ｔｏ  Ｄｅｖｉｃｅ）方式が多く使われるようになる。
【０００６】
要約すると、受信と送信とを同時に行うフルデュプレックス（Ｆｕｌｌ  ｄｕｐｌｅｘｉｎｇ）方式の通信装置において、従来は基地局と端末機とに使用されるデュプレクサフィルタは、基地局用と端末機用とがそれぞれ製造され、それらをそれぞれ異なるボードで製作が行われている。
【発明の概要】
【発明が解決しようとする課題】
【０００７】
上記の背景技術に基づいて近来は、基地局と端末機との区別が次第になくなるスモールセルの増加と、全てのモノに適用されるＬＴＥ  ＩｏＴ応用では基地局と端末機との区別なしに、時には基地局に送信／受信周波数帯域を、端末機応用の際とは逆に動作させなければならない場合が生じる。本発明は、このような機能を可能とする装置を既に開発されている単品を所望の目的を至って簡単に構成し、最小限のコストで可能とする構造を提案する。
【０００８】
本発明は、受信と送信とが同時に行われるフルデュプレックス（Ｆｕｌｌ  ｄｕｐｌｅｘｉｎｇ）方式の通信装置において所望の目的に応じて、送受信周波数の変換がより効率的に行われるようにすることで、基地局と端末機とで共用使用ができるようにし、通信ネットワークの全体的な網構成を素早く且つ流動的に構成できるようにする送受信周波数信号変換方法及び装置を提供することにその目的がある。
【課題を解決するための手段】
【０００９】
本発明は、アンテナの送受信周波数信号から送信信号及び受信信号を分離するデュプレクサと、複数の入力及び出力を有し、選択された動作モードに応じて、それぞれの入力及び出力を交差または順方向に接続し、前記送信信号及び前記受信信号に対応する経路を適応的に形成する経路切替スイッチと、前記動作モードを選択し、前記動作モードに対応して前記入力及び前記出力間の接続制御のための制御信号を前記経路切替スイッチに伝送する制御部と、前記送信信号経路上に位置する電力増幅器と、前記受信信号経路上に位置する低雑音増幅器とを含むことを特徴とするＲＦフロントエンドモジュール装置を提供する。
【００１０】
なお、本発明の別の側面によると、ＲＦフロントエンドモジュール装置の送受信周波数信号変換方法において、アンテナの送受信周波数信号から送信信号及び受信信号を分離する過程と、前記ＲＦフロントエンドモジュール装置の動作モードを選択し、選択された動作モードに対応して経路切替スイッチの入力及び出力間の接続制御のための制御信号を生成する過程と、前記制御信号に基づいて、前記経路切替スイッチ内に備えられた複数の入力及び出力のそれぞれを交差または順方向に接続し、前記送信信号及び前記受信信号に対応する経路を適応的に形成する過程とを含むことを特徴とするＲＦフロントエンドモジュール装置の送受信周波数信号変換方法を提供する。
【発明の効果】
【００１１】
本発明によれば、受信と送信とが同時に行われるフルデュプレックス（Ｆｕｌｌ  ｄｕｐｌｅｘｉｎｇ）方式の通信装置において所望の目的に応じて、送受信周波数の変換がより効率的に行われるようにすることで、基地局から端末機へ、或いは端末機から基地局への動作切替が速く、簡単に行われるようにし、それを通じ、通信ネットワークの全体的な網構成を素早く且つ流動的に構成できるという効果がある。
【００１２】
なお、本発明によれば、端末と端末とが相互基地局と端末機の役割を担い、最終的に基地局に通信接続をするＤ２Ｄ（Ｄｅｖｉｃｅ  ｔｏ  Ｄｅｖｉｃｅ）環境をより容易に且つ安価に実現できるという効果がある。
【図面の簡単な説明】
【００１３】
【図１】本発明に係るＲＦフロントエンドモジュール装置を概略に示すブロック図である。
【図２】本発明に係る経路切替スイッチの動作を説明するための例示図である。
【図３Ａ】本発明に係る通信装置の目的に応じた送受信周波数信号変換方法を説明するための例示図である。
【図３Ｂ】本発明に係る通信装置の目的に応じた送受信周波数信号変換方法を説明するための例示図である。
【図４Ａ】本発明に係る通信装置の目的に応じた送受信周波数信号変換方法を説明するための例示図である。
【図４Ｂ】本発明に係る通信装置の目的に応じた送受信周波数信号変換方法を説明するための例示図である。
【図５】本発明に係る送受信周波数信号変換方法を説明するためのフローチャートである。
【図６】本発明に係る送受信周波数信号変換方法が適用される通信環境を例示した図である。
【発明を実施するための形態】
【００１４】
以下、本発明の一部の実施例を例示的な図を参照して詳細に説明する。各図の構成要素に参照符号を付加するうえで、同一の構成要素に対してはたとえ別の図面上に表示されるとしても、できる限り同一の符号を付するようにしていることに留意すべきである。なお、本発明を説明するうえで、関連の公知構成または機能に対する具体的な説明が、本発明の要旨を曖昧にすると判断される場合には、その詳細な説明は省略する。
【００１５】
なお、本発明の構成要素を説明するうえで、第１、第２、Ａ、Ｂ、（ａ）、（ｂ）などの用語を使用することができる。このような用語は、その構成要素を別の構成要素と区別するためのものであるだけで、その用語によって当該構成要素の本質や順番、手順などが限定されない。明細書全体において、どの部分がどの構成要素を「含む」、「備える」とする際、それは特にそうでないとの記載がない限り、別の構成要素を除外するものではなく、別の構成要素を更に含むことができることを意味する。なお、明細書に記載された「部」、「モジュール」などの用語は、少なくとも一つの機能や動作を処理する単位を意味し、それは、ハードウェアやソフトウェア、またはハードウェア及びソフトウェアの組み合わせで実現されてよい。
【００１６】
近来は、基地局と端末機との区別が次第になくなるスモールセルの増加と、全てのモノに適用されるＬＴＥ  ＩｏＴ応用では基地局と端末機との区別なしに、時には基地局に送信／受信周波数帯域を、端末機応用の際とは逆に動作させなければならない場合が生じる。
【００１７】
そのために、本発明の場合、受信と送信とが同時に行われるＦＤＤ（Ｆｕｌｌ  ｄｕｐｌｅｘｉｎｇ）方式を使用する無線移動通信でアンテナと接続されるＲＦフロントエンドモジュール装置に関する内容を開示する。
【００１８】
図１は、本発明に係るＲＦフロントエンドモジュール装置を概略に示すブロック図である。
【００１９】
本発明に係るＲＦフロントエンドモジュール装置１００は、全てのＦＤＤ通信規格に拡大適用されてよい。例えば、ＲＦフロントエンドモジュール装置１００は、従来のＦＤＤ（Ｆｕｌｌ  ｄｕｐｌｅｘｉｎｇ）方式を使用する無線移動通信に適用されてよく、圏内にある端末機が陰影地域にある端末機と相互通信し、音声地域端末機の情報を基地局に伝達するＤ２Ｄ通信などに適用されてよい。
【００２０】
図１に示すように、本発明に係るＲＦフロントエンドモジュール装置１００は、デュプレクサ１１０、経路切替スイッチ１２０、制御部１３０、電力増幅器１４０及び低雑音増幅器１５０を含む。ここで、ＲＦフロントエンドモジュール装置１００に含まれた構成要素は、必ずしもそれに限定されるものではない。
【００２１】
デュプレクサ１１０は、アンテナの送受信周波数信号から送信信号及び受信信号を分離する装置を意味する。
【００２２】
本発明において、デュプレクサ１１０は、アンテナの送受信周波数信号を周波数分割多重化方式（ＦＤＤ）によって、第１周波数帯域及び第２周波数帯域に分離することで、送信信号及び受信信号を分離することができる。ここで、第１周波数帯域は、３９２〜３９４ＭＨｚであってよく、第２周波数帯域は、３８２〜３８４ＭＨｚであってよいが、必ずしもそれに限定されるものではない。即ち、第１周波数帯域及び第２周波数帯域は、本発明に係るＲＦフロントエンドモジュール装置１００が適用される通信環境及び規格などによって多様な周波数帯域に設定されてよい。例えば、別の発明において、第１周波数帯域及び第２周波数帯域は、ＬＴＥ  Ｂａｎｄ５の８２４〜８４９ＭＨｚ及び８６０〜８９４ＭＨｚ帯域に設定することができる。
【００２３】
一方、デュプレクサ１１０は、ＲＦフロントエンドモジュール装置１００が適用された通信装置の目的に応じて、送信信号の周波数帯域及び受信信号の周波数帯域が逆に動作するように設定されてよい。例えば、通信装置が端末機とのセルラー通信をサポートする基地局として動作する場合、第１周波数帯域が送信信号（例えば、ダウンリンク信号）を分離するように、第２周波数帯域が受信信号（例えば、アップリンク信号）を分離するように実現されてよい。逆に、通信装置が基地局とのセルラー通信をサポートする端末機として動作する場合、第１周波数帯域が受信信号（例えば、ダウンリンク信号）を分離するように、第２周波数帯域が送信信号（例えば、アップリンク信号）を分離するように実現されてよい。
【００２４】
そのために、デュプレクサ１１０は、ダウンリンク信号に該当する第１周波数のみを通過させる第１帯域受動フィルタと、アップリンク信号に該当する第２周波数のみを通過させる第２帯域受動フィルタとを含んで構成されてよい。本発明において、デュプレクサ１１０の第１帯域受動フィルタは、経路切替スイッチ１２０の第１出力端と接続され、第２帯域受動フィルタは、経路切替スイッチ１２０の第２出力端と接続される構成からなってよい。
【００２５】
経路切替スイッチ１２０は、複数の入力及び出力を有し、それぞれの入力及び出力間の接続を調節し、送信信号及び受信信号に対応する経路を適応的に形成する機能を実行する。即ち、本発明において、経路切替スイッチ１２０は、制御部１３０から選択された動作モードに応じて、それぞれの入力及び出力を交差または順方向に接続し、送信信号及び受信信号に対応する経路を適応的に形成することができる。そのために、経路切替スイッチ１２０は、制御部１３０から前記動作モードに対応して生成された電気的な信号（例えば、制御信号）を受信するように実現されてよい。
【００２６】
図２を参照して説明すると、本発明において、経路切替スイッチ１２０は、２つの入力端と２つの出力端とを有し、それぞれの入力端と出力端とを交差または順方向に接続するための第１ないし第４スイッチを含んで実現されてよい。ここで、第１スイッチは、電力増幅器１４０と接続される第１入力端とデュプレクサ１１０のダウンリンク帯域フィルタと接続される第１出力端とを相互接続する。第２スイッチは、第１入力端とデュプレクサ１１０のアップリンク帯域フィルタと接続される第２出力端とを相互接続する。第３スイッチは、低雑音増幅器１５０と接続される第２入力端と第１出力端とを相互接続する。第４スイッチは、第２入力端と第２出力端とを相互接続する。
【００２７】
経路切替スイッチ１２０は、制御部１３０から制御信号（例えば、ｃｏｎｔｒｏｌ  １）に応じて第１入力端と第１出力端とを相互接続し、第２入力端と第２出力端とを相互接続して送信信号及び受信信号に対応する経路を形成することができる。なお、経路切替スイッチ１２０は、制御部１３０から制御信号（例えば、ｃｏｎｔｒｏｌ  ２）に応じて第１入力端と第２出力端とを相互接続し、第２入力端と第１出力端とを相互接続して送信信号及び受信信号に対応する経路を形成することができる。
【００２８】
以下では、経路切替スイッチ１２０の動作を説明するうえで、経路切替スイッチ１２０が２つの入力端と２つの出力端とを有するものを例に挙げて説明したが、必ずしもそれに限定されるものではない。例えば、経路切替スイッチ１２０は、Ｎ−ｐｏｌｅ  Ｎ−ｔｈｒｏｕｇｈ  ｔｏｐｏｌｏｇｙに拡張可能であり、本実施例では、経路切替スイッチ１２０の入力端及び出力端の数に対して、特定数に限定しない。
【００２９】
一方、経路切替スイッチ１２０が、制御部１３０から選択された動作モードに応じてそれぞれの入力及び出力間の接続を調節し、送信信号及び受信信号に対応する経路を適応的に形成する具体的な方法については、制御部１３０の動作を説明する過程において説明することとする。
【００３０】
制御部１３０は、ＲＦフロントエンドモジュール装置１００の動作モードを選択し、選択された動作モードに対応して経路切替スイッチ１２０の入力及び出力間の接続制御のための制御信号を経路切替スイッチ１２０に伝送する機能を行う。
【００３１】
本発明において、制御部１３０は、ユーザ選択情報及び送受信周波数信号に基づいて、ＲＦフロントエンドモジュール装置１００が実現された通信装置の目的を判別し、判別の結果に応じて、ＲＦフロントエンドモジュール装置１００の動作モードを基地局モード、端末機モード、中継端末機モード及び中継対象端末機モードのうち、いずれか一つのモードに選択することができる。ここで、基地局モードは、上記の通信装置が端末機とのセルラー通信をサポートする基地局としての機能を行う場合に該当するモードを意味する。端末機モードは、上記の通信装置が基地局とのセルラー通信をサポートする端末機としての機能を行う場合に該当するモードを意味する。中継端末機モードは、上記の通信装置が端末間の直接通信（例えば、Ｄ２Ｄ）で基地局と陰影地域端末機との間の中継機能をサポートする場合に該当するモードを意味する。中継対象端末機は、上記の通信装置が上記の中継端末機から中継機能をサポートされる場合に該当するモードを意味する。
【００３２】
以下、制御部１３０から選択された動作モードに応じて、経路切替スイッチ１２０の送受信周波数信号変換方法について説明する。
【００３３】
図３Ａ及び図３Ｂは、制御部１３０によって経路切替スイッチ１２０の動作モードが、それぞれ基地局モード及び端末機モードに選択された場合の送受信周波数信号変換方法を例示した図である。
【００３４】
まず、図３Ａを参照すると、制御部１３０によって経路切替スイッチ１２０の動作モードが基地局モードに選択された場合、経路切替スイッチ１２０は、それぞれの入力及び出力を順方向に接続し、電力増幅器１４０からデュプレクサ１１０のダウンリンク帯域フィルタに繋がる送信信号経路（＝信号経路  １：３９２−３９４ＭＨｚ）及びデュプレクサ１１０のアップリンク帯域フィルタから低雑音増幅器１５０に繋がる受信信号経路（＝信号経路  ２：３８２−３８４ＭＨｚ）を形成することができる。
【００３５】
なお、図３Ｂを参照すると、制御部１３０によって経路切替スイッチ１２０の動作モードが端末機モードに選択された場合、経路切替スイッチ１２０は、それぞれの入力及び出力を交差接続し、電力増幅器１４０からデュプレクサ１１０のアップリンク帯域フィルタに繋がる送信信号経路（＝信号経路  ２：３８２−３８４ＭＨｚ）及びデュプレクサ１１０のダウンリンク帯域フィルタから低雑音増幅器１５０に繋がる受信信号経路（信号経路  １：３９２−３９４ＭＨｚ）を形成することができる。
【００３６】
図４Ａ及び図４Ｂは、制御部１３０によって経路切替スイッチ１２０の動作モードが、それぞれ中継端末機モード及び中継対象端末機モードに選択された場合の送受信周波数信号変換方法を例示した図である。
【００３７】
まず、図４Ａを参照すると、制御部１３０によって経路切替スイッチ１２０の動作モードが中継端末機モードに選択された場合、経路切替スイッチ１２０は、それぞれの入力及び出力を順方向に接続し、電力増幅器１４０からデュプレクサ１１０のダウンリンク帯域フィルタに繋がる送信信号経路（＝信号経路  １：３９２−３９４ＭＨｚ）及びデュプレクサ１１０のアップリンク帯域フィルタから低雑音増幅器１５０に繋がる受信信号経路（＝信号経路  ２：３８２−３８４ＭＨｚ）を形成することができる。
【００３８】
なお、図４Ｂを参照すると、制御部１３０によって経路切替スイッチ１２０の動作モードが中継対象端末機モードに選択された場合、経路切替スイッチ１２０は、それぞれの入力及び出力を交差接続し、電力増幅器１４０からデュプレクサ１１０のアップリンク帯域フィルタに繋がる送信信号経路（＝信号経路  ２：３８２−３８４ＭＨｚ）及びデュプレクサ１１０のダウンリンク帯域フィルタから低雑音増幅器１５０に繋がる受信信号経路（信号経路  １：３９２−３９４ＭＨｚ）を形成することができる。
【００３９】
電力増幅器１４０は、ＲＦフロントエンドモジュール装置１００の送信信号経路上に位置し、当該経路を通じて伝送される送信信号を増幅して出力する機能を行う。
【００４０】
低雑音増幅気１５０は、ＲＦフロントエンドモジュール装置１００の受信信号経路上に位置し、当該経路を通じて伝送される受信信号を増幅して出力する機能を行う。
【００４１】
電力増幅器１４０及び低雑音増幅器１５０による信号増幅は、当該分野において通常実施されるものであるため、詳細な説明は省略する。
【００４２】
一方、図３Ａないし図４Ｂを参照すると、本発明の場合、電力増幅器１４０及び低雑音増幅器１５０が、ぞれぞれＲＦフロントエンドモジュール装置１００の動作モードによらず、基地局と端末機との送信信号を全て増幅、或いは受信信号を全て増幅できるように設計されることで、広帯域特性を有することを確認することができる。
【００４３】
図５は、本発明に係る送受信周波数信号変換方法を説明するためのフローチャートである。
【００４４】
ＲＦフロントエンドモジュール装置１００は、アンテナ送受信周波数信号から送信信号及び受信信号を分離する（Ｓ５０２）。ステップＳ５０２において、ＲＦフロントエンドモジュール装置１００はデュプレクサ１１０を含み、デュプレクサ１１０を介してアンテナの送受信周波数信号を周波数分割多重化方式（ＦＤＤ）によって、第１周波数帯域及び第２周波数帯域に分離することで、送信信号及び受信信号を分離することができる。
【００４５】
ＲＦフロントエンドモジュール装置１００は、ユーザ選択情報及び送受信周波数信号に基づいて、ＲＦフロントエンドモジュール装置１００の動作モードを選択する（Ｓ５０４）。ステップＳ５０４において、ＲＦフロントエンドモジュール装置１００は、ユーザ選択情報及び送受信周波数信号に基づいてＲＦフロントエンドモジュール装置１００が実現された通信装置の目的を判別し、判別の結果に応じて、ＲＦフロントエンドモジュール装置１００の動作モードを基地局モード、端末機モード、中継端末機モード及び中継対象端末機モードのうちいずれかのモードに選択することができる。
【００４６】
ＲＦフロントエンドモジュール装置１００は、ステップＳ５０４で選択された動作モードに対応し、ＲＦフロントエンドモジュール装置１００内の経路切替スイッチ１２０の入力及び出力間の接続制御のための制御信号を生成する（Ｓ５０６）。
【００４７】
ＲＦフロントエンドモジュール装置１００は、ステップＳ５０６の制御信号に基づいて、経路切替スイッチ１２０内に備えられた複数の入力及び出力のそれぞれを交差または順方向に接続し、送信信号及び受信信号に対応する経路を適応的に形成する（Ｓ５０８）。
【００４８】
ここで、ステップＳ５０２ないしＳ５０８は、上述のＲＦフロントエンドモジュール装置１００の各構成要素の動作に対応するため、これ以上の詳細な説明は省略する。
【００４９】
図５においては、それぞれの過程を順次に実行するものとして記載しているが、必ずしもそれに限定されるものではない。言い換えると、図５に記載された過程を変更して実行したり、一つ以上の過程を並列的に実行するものとして適用可能であるため、図５は、時系列的な順番に限定されるものではない。
【００５０】
上述のように、図５に示されたＲＦフロントエンドモジュール装置１００の送受信周波数信号変換方法は、プログラムで実現され、コンピュータのソフトウェアを用いて読み込むことができる記録媒体（ＣＤ−ＲＯＭ、ＲＡＭ、ＲＯＭ、メモリカード、ハードディスク、光磁気ディスク、ストレージデバイスなど）に記録されてよい。
【００５１】
図６は、本発明に係る送受信周波数信号変換方法が適用される通信環境を例示した図である。
【００５２】
図６を参照すると、本発明に係るＲＦフロントエンドモジュール装置１００及びその送受信周波数信号変換方法は、ＬＴＥ  Ｓｍａｌｌ  Ｃｅｌｌ、Ｄ２Ｄ、Ｍ２Ｍ、Ｒｅｌａｙ通信方式で基地局と端末機とに全て共用で使用できるようにする効果がある。
【００５３】
即ち、本発明に係るＲＦフロントエンドモジュール装置を用いる場合、ＲＦフロントエンドモジュール装置１００が実現された通信装置の目的に応じて、送受信周波数の変換がより効率的に行われることができる。例えば、本発明では、端末機が複数の端末機を接続させてくれる基地局に、また、一般端末機にも、素早く且つ容易に戻って動作できるようにし、通信ネットワーク全体的の網構成を効率よく、スピーディに且つ流動的に構成できるようにする効果がある。
【００５４】
以上の説明は、本発明の技術思想を例示的に説明したものに過ぎず、本実施例の属する技術分野において通常の知識を有する者なら、本発明の本質的な特性から逸脱しない範囲で多様な修正及び変形が可能である。よって、本発明は、本実施例の技術思想を限定するためのものではなく、説明するためのものであって、このような発明によって本発明の技術思想の範囲が限定されるわけではない。本実施例の保護範囲は、以下の請求範囲によって解釈されるべきであり、それと等しい範囲内にある全ての技術思想は、本発明の権利範囲に含まれるものとして解釈されるべきである。
【符号の説明】
【００５５】
１００  ＲＦフロントエンドモジュール装置
１１０  デュプレクサ
１２０  経路切替スイッチ
１３０  制御部
１４０  電力増幅器
１５０  低雑音増幅器
【図１】
2020141393.tif 000003
【図２】
2020141393.tif 000004
【図３Ａ】
2020141393.tif 000005
【図３Ｂ】
2020141393.tif 000006
【図４Ａ】
2020141393.tif 000007
【図４Ｂ】
2020141393.tif 000008
【図５】
2020141393.tif 000009
【図６】
2020141393.tif 000010